(57)【要約】【課題】再生している出力情報にリンクされた情報を利便性良好に出力する。【解決手段】マイクロプロセッサ１１は、ＤＶＤ−ＲＡＭ１００から読み出された動画像情報に、他の画像情報又は他の動画像情報にリンクされていることを示すリンク情報が含まれているか否かを判定するリンク判定部１１２と、リンク情報が含まれている旨の情報を、リンク表示部１１５を介して、表示パネル１６に表示させる表示制御部１１４と、表示制御部１１４からの指示に基づいて、リンク情報が含まれている旨の情報を表示パネル１６に表示するリンク表示部１１５と、を備える。【選択図】図５
2008053984.tif 000002
【特許請求の範囲】
【請求項１】
動画像を表示可能に構成されたディスプレイ、及び、複数のキーを備え、外部からの操作を前記複数のキーを介して受け付けるリモートコントローラと通信可能に接続され、ＤＶＤに格納された動画像情報を読み出して再生し、前記ディスプレイに表示させると共に、再生されている動画像情報のタイトル情報を表示する表示パネルを有するＤＶＤプレイヤであって、
ＤＶＤから読み出された動画像情報に、他の画像情報又は他の動画像情報にリンクされていることを示すリンク情報が含まれているか否かを判定するリンク判定手段と、
前記リンク情報が含まれている旨の情報を、前記ディスプレイ及び表示パネルに、外部から視認可能に表示するリンク表示手段と、
前記リンク判定手段によって前記リンク情報が含まれていると判定された場合に、前記リンク表示手段に前記リンク情報が含まれている旨の情報を表示させる表示制御手段と、
前記リモートコントローラからの操作情報に基づいて、前記リンク情報が含まれている旨の情報の表示を禁止するリンク表示禁止手段と、
前記リモートコントローラに配設された複数のキーの内、ＤＶＤから読み出された動画像情報に含まれる受け付け可能なキーである有効キーを判定する有効キー判定手段と、
を備え、
前記表示制御手段は、前記リンク表示禁止手段によって前記リンク情報が含まれている旨の情報の表示が禁止されていない場合に限って、前記リンク表示手段に対して、前記表示パネルに前記リンク情報が含まれている旨の情報を表示させると共に、前記ディスプレイに、ＯＳＤ（Ｏｎ  Ｓｃｒｅｅｎ  Ｄｉｓｐｌａｙ）として、前記リンク情報が含まれている旨の情報、及び、前記有効キー判定手段によって判定された前記有効キー情報を、前記リモートコントローラにおける前記有効キーの位置を外部から視認可能に表示させることを特徴とするＤＶＤプレイヤ。
【請求項２】
動画像を表示可能に構成された表示装置と通信可能に接続され、記録媒体に格納された動画像情報を読み出して再生し、前記表示装置に表示させる動画像再生装置であって、
記録媒体から読み出された動画像情報に、他の画像情報又は他の動画像情報にリンクされていることを示すリンク情報が含まれているか否かを判定するリンク判定手段と、
前記リンク情報が含まれている旨の情報を、外部から視認可能に表示するリンク表示手段と、
前記リンク判定手段によって前記リンク情報が含まれていると判定された場合に、前記リンク表示手段に前記リンク情報が含まれている旨の情報を表示させる表示制御手段と、
を備えることを特徴とする動画像再生装置。
【請求項３】
再生されている動画像情報のタイトル情報を表示する表示パネルを備え、
前記表示制御手段は、前記リンク表示手段に対して、前記表示パネルに前記リンク情報が含まれている旨の情報を表示させることを特徴とする請求項２に記載の動画像再生装置。
【請求項４】
前記表示制御手段は、前記表示装置に、ＯＳＤ（Ｏｎ  Ｓｃｒｅｅｎ  Ｄｉｓｐｌａｙ）として、前記リンク情報が含まれている旨の情報を表示させることを特徴とする請求項２又は請求項３に記載の動画像再生装置。
【請求項５】
複数のキーを備え、外部からの操作を前記複数のキーを介して受け付ける操作手段と通信可能に接続され、
前記操作手段からの操作情報に基づいて、前記リンク情報が含まれている旨の情報の表示を禁止するリンク表示禁止手段を備え、
前記表示制御手段は、前記リンク表示禁止手段によって前記リンク情報が含まれている旨の情報の表示が禁止されている場合には、前記リンク表示手段に前記リンク情報が含まれている旨の情報を表示させないことを特徴とする請求項４に記載の動画像再生装置。
【請求項６】
前記操作手段に配設された複数のキーの内、記録媒体から読み出された動画像情報に含まれる受け付け可能なキーである有効キーを判定する有効キー判定手段を備え、
前記表示制御手段は、前記表示装置に、ＯＳＤとして、前記有効キー判定手段によって判定された前記有効キー情報を表示させることを特徴とする請求項５に記載の動画像再生装置。
【請求項７】
前記表示制御手段は、前記表示装置に、ＯＳＤとして、前記有効キー情報を前記操作手段における前記有効キーの位置を外部から視認可能に表示させることを特徴とする請求項６に記載の動画像再生装置。
【発明の詳細な説明】
【技術分野】
【０００１】
本発明は、動画像を表示可能に構成された表示装置と通信可能に接続され、記録媒体に格納された動画像情報を読み出して再生し、前記表示装置に表示させる情報再生装置及びＤＶＤプレイヤに関する。
【背景技術】
【０００２】
映画等のビデオ情報をＤＶＤ（Ｄｉｇｉｔａｌ  Ｖｅｒｓａｔｉｌｅ  Ｄｉｓｃ）上に記録するための規格として、ＤＶＤ−ビデオ規格がある。このＤＶＤ−ビデオ規格では、ＭＰＥＧ（Ｍｏｖｉｎｇ  Ｐｉｃｔｕｒｅ  Ｅｘｐｅｒｔｓ  Ｇｒｏｕｐ）方式を用いて圧縮符号化された動画像情報、ＭＰＥＧ方式等により圧縮符号化された音声情報、及び、字幕等を表示するための副映像がランレングス符号化された副映像情報が、ＤＶＤ上に記録される。動画像情報、音声情報、及び、副映像情報をここでは出力情報という。
【０００３】
また、ＤＶＤ−ビデオ規格では、上記出力情報の所定期間（例えば、０．５秒）毎（に、再生制御用の情報であるナビゲーション情報が挿入されている。このナビゲーション情報は、対応する出力情報にリンクして設定された副映像情報へのリンク情報と、副映像情報を表示する場合に操作するべき操作情報とを有している。
【０００４】
従来、出力情報にリンクして設定された副映像情報を出力させるためには、操作情報に設定された操作を行う必要があった（特許文献１参照）。
【特許文献１】特開２００１−２７５０８９号公報
【発明の開示】
【発明が解決しようとする課題】
【０００５】
しかしながら、ユーザは、再生している出力情報にリンクして設定された副映像情報が有るか否か、及び、リンクして設定された副映像情報を出力させるための操作方法を知るためには、ＤＶＤに添付されたマニュアル等を用いて確認する必要があり、煩雑な場合があった。
【０００６】
上記の課題に鑑みて、本発明は、再生している出力情報にリンクされた情報を利便性良好に出力することの可能な動画像再生装置及びＤＶＤプレイヤを提供することを目的としている。
【課題を解決するための手段】
【０００７】
上記目的を達成するために請求項１に記載のＤＶＤプレイヤは、動画像を表示可能に構成されたディスプレイ、及び、複数のキーを備え、外部からの操作を前記複数のキーを介して受け付けるリモートコントローラと通信可能に接続され、ＤＶＤに格納された動画像情報を読み出して再生し、前記ディスプレイに表示させると共に、再生されている動画像情報のタイトル情報を表示する表示パネルを有するＤＶＤプレイヤであって、ＤＶＤから読み出された動画像情報に、他の画像情報又は他の動画像情報にリンクされていることを示すリンク情報が含まれているか否かを判定するリンク判定手段と、前記リンク情報が含まれている旨の情報を、前記ディスプレイ及び表示パネルに、外部から視認可能に表示するリンク表示手段と、前記リンク判定手段によって前記リンク情報が含まれていると判定された場合に、前記リンク表示手段に前記リンク情報が含まれている旨の情報を表示させる表示制御手段と、前記リモートコントローラからの操作情報に基づいて、前記リンク情報が含まれている旨の情報の表示を禁止するリンク表示禁止手段と、前記リモートコントローラに配設された複数のキーの内、ＤＶＤから読み出された動画像情報に含まれる受け付け可能なキーである有効キーを判定する有効キー判定手段と、を備え、前記表示制御手段が、前記リンク表示禁止手段によって前記リンク情報が含まれている旨の情報の表示が禁止されていない場合に限って、前記リンク表示手段に対して、前記表示パネルに前記リンク情報が含まれている旨の情報を表示させると共に、前記ディスプレイに、ＯＳＤ（Ｏｎ  Ｓｃｒｅｅｎ  Ｄｉｓｐｌａｙ）として、前記リンク情報が含まれている旨の情報、及び、前記有効キー判定手段によって判定された前記有効キー情報を、前記リモートコントローラにおける前記有効キーの位置を外部から視認可能に表示させることを特徴としている。
【０００８】
請求項２に記載の動画像再生装置は、動画像を表示可能に構成された表示装置と通信可能に接続され、記録媒体に格納された動画像情報を読み出して再生し、前記表示装置に表示させる動画像再生装置であって、記録媒体から読み出された動画像情報に、他の画像情報又は他の動画像情報にリンクされていることを示すリンク情報が含まれているか否かを判定するリンク判定手段と、前記リンク情報が含まれている旨の情報を、外部から視認可能に表示するリンク表示手段と、前記リンク判定手段によって前記リンク情報が含まれていると判定された場合に、前記リンク表示手段に前記リンク情報が含まれている旨の情報を表示させる表示制御手段と、を備えることを特徴としている。
【０００９】
請求項３に記載の動画像再生装置は、請求項２に記載の動画像再生装置であって、再生されている動画像情報のタイトル情報を表示する表示パネルを備え、前記表示制御手段が、前記リンク表示手段に対して、前記表示パネルに前記リンク情報が含まれている旨の情報を表示させることを特徴としている。
【００１０】
請求項４に記載の動画像再生装置は、請求項２又は請求項３に記載の動画像再生装置であって、前記表示制御手段が、前記表示装置に、ＯＳＤ（Ｏｎ  Ｓｃｒｅｅｎ  Ｄｉｓｐｌａｙ）として、前記リンク情報が含まれている旨の情報を表示させることを特徴としている。
【００１１】
請求項５に記載の動画像再生装置は、請求項４に記載の動画像再生装置であって、複数のキーを備え、外部からの操作を前記複数のキーを介して受け付ける操作手段と通信可能に接続され、前記操作手段からの操作情報に基づいて、前記リンク情報が含まれている旨の情報の表示を禁止するリンク表示禁止手段を備え、前記表示制御手段が、前記リンク表示禁止手段によって前記リンク情報が含まれている旨の情報の表示が禁止されている場合には、前記リンク表示手段に前記リンク情報が含まれている旨の情報を表示させないことを特徴としている。
【００１２】
請求項６に記載の動画像再生装置は、請求項５に記載の動画像再生装置であって、前記操作手段に配設された複数のキーの内、記録媒体から読み出された動画像情報に含まれる受け付け可能なキーである有効キーを判定する有効キー判定手段を備え、前記表示制御手段が、前記表示装置に、ＯＳＤとして、前記有効キー判定手段によって判定された前記有効キー情報を表示させることを特徴としている。
【００１３】
請求項７に記載の動画像再生装置は、請求項６に記載の動画像再生装置であって、前記表示制御手段が、前記表示装置に、ＯＳＤとして、前記有効キー情報を前記操作手段における前記有効キーの位置を外部から視認可能に表示させることを特徴としている。
【発明の効果】
【００１４】
請求項１に記載のＤＶＤプレイヤによれば、ＤＶＤから読み出された動画像情報に、他の画像情報又は他の動画像情報にリンクされていることを示すリンク情報が含まれていると判定された場合に、リンク情報が含まれている旨の情報が外部から視認可能に表示されるため、ユーザは、リンク情報が含まれているか否かを容易に判別することができるので、リンクされた情報を利便性良好に出力することができる。
【００１５】
また、再生されている動画像情報のタイトル情報を表示する表示パネルにリンク情報が含まれている旨の情報を表示されるため、ユーザは、リンク情報が含まれているか否かを更に容易に判別することができる。また、リンク情報が含まれている旨の情報がＯＳＤとして表示される場合には、再生されている画像の一部が隠れる等により、動画像の鑑賞を妨害する要因となることがあるが、表示パネルに表示されるため、動画像の鑑賞を妨害されることがない。
【００１６】
更に、ＯＳＤとして、リンク情報が含まれている旨の情報が表示されるため、ユーザは、リンク情報が含まれているか否かを更に容易に判別することができる。
【００１７】
加えて、外部からの操作情報に基づいてリンク情報が含まれている旨の情報の表示が禁止されている場合には、リンク情報が含まれている旨の情報が表示されないため、ユーザは、リンク情報が含まれている旨の情報を表示するか否かの選択を行うことができるので、利便性を向上することができる。
【００１８】
また、ＯＳＤとして、リモートコントローラに配設された複数のキーの内、記録媒体から読み出された動画像情報に含まれる受け付け可能なキーである有効キー情報が表示されるため、ユーザはリモートコントローラの有効キーを操作することによってリンクされた情報を容易に出力することができる。
【００１９】
更に、ＯＳＤとして、リモートコントローラに配設された複数のキーの内、ＤＶＤから読み出された動画像情報に含まれる受け付け可能なキーである有効キーのリモートコントローラにおける位置が外部から視認可能に表示されるため、ユーザは有効キーのリモートコントローラにおける位置を容易に視認することができるので、ユーザはリモートコントローラの有効キーを操作することによってリンクされた情報を更に容易に出力することができる。
【００２０】
請求項２に記載の動画像再生装置によれば、記録媒体から読み出された動画像情報に、他の画像情報又は他の動画像情報にリンクされていることを示すリンク情報が含まれていると判定された場合に、リンク情報が含まれている旨の情報が外部から視認可能に表示されるため、ユーザは、リンク情報が含まれているか否かを容易に判別することができるので、リンクされた情報を利便性良好に出力することができる。
【００２１】
請求項３に記載の動画像再生装置によれば、再生されている動画像情報のタイトル情報を表示する表示パネルにリンク情報が含まれている旨の情報を表示されるため、ユーザは、リンク情報が含まれているか否かを更に容易に判別することができる。また、リンク情報が含まれている旨の情報がＯＳＤとして表示される場合には、再生されている画像の一部が隠れる等により、動画像の鑑賞を妨害する要因となることがあるが、表示パネルに表示されるため、動画像の鑑賞を妨害されることがない。
【００２２】
請求項４に記載の動画像再生装置によれば、ＯＳＤとして、リンク情報が含まれている旨の情報が表示されるため、ユーザは、リンク情報が含まれているか否かを更に容易に判別することができる。
【００２３】
請求項５に記載の動画像再生装置によれば、外部からの操作情報に基づいてリンク情報が含まれている旨の情報の表示が禁止されている場合には、リンク情報が含まれている旨の情報が表示されないため、ユーザは、リンク情報が含まれている旨の情報を表示するか否かの選択を行うことができるので、利便性を向上することができる。
【００２４】
請求項６に記載の動画像再生装置によれば、ＯＳＤとして、操作手段に配設された複数のキーの内、記録媒体から読み出された動画像情報に含まれる受け付け可能なキーである有効キー情報が表示されるため、ユーザは操作手段の有効キーを操作することによってリンクされた情報を容易に出力することができる。
【００２５】
請求項７に記載の動画像再生装置によれば、ＯＳＤとして、操作手段に配設された複数のキーの内、記録媒体から読み出された動画像情報に含まれる受け付け可能なキーである有効キーの操作手段における位置が外部から視認可能に表示されるため、ユーザは有効キーの操作手段における位置を容易に視認することができるので、ユーザは操作手段の有効キーを操作することによってリンクされた情報を更に容易に出力することができる。
【発明を実施するための最良の形態】
【００２６】
以下に本発明の実施形態を、図面を参照しながら説明する。図１は、本発明に係るＤＶＤプレイヤの接続状態の一例を示す構成図である。ＤＶＤ（Ｄｉｇｉｔａｌ  Ｖｅｒｓａｔｉｌｅ  Ｄｉｓｃ）プレイヤ１（動画像再生装置に相当する）は、リモートコントローラ（＝Ｒｅｍｏｔｅｃｏｎｔｒｏｌｌｅｒ：以下、「リモコン」という）２と赤外線通信を介して通信可能に接続され、ディスプレイ３とＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルを介して（＝ＨＤＭＩ規格を用いて）通信可能に接続されている。また、ＤＶＤプレイヤ１は、リモコン２を介して、ユーザからの操作入力を受け付けると共に、ＤＶＤ−ＲＡＭ１００（記録媒体に相当する）に格納された動画像情報及び音声情報を読み出して再生し、ＨＤＭＩケーブルを介してディスプレイ３に出力させるものである。
【００２７】
リモコン２（操作手段の一部に相当する）は、ユーザからの操作入力を受け付けて、操作入力に対応する赤外線信号を生成して、ＤＶＤプレイヤ１に対して出力するものである。ここでは、リモコン２は、リンク情報によってリンクされた動画像情報（又は画像情報）をディスプレイ３に表示させる旨の操作入力を受け付けるものである。
【００２８】
ディスプレイ３（表示装置に相当する）は、スピーカを備え、ＤＶＤプレイヤ１からＨＤＭＩケーブルを介して入力された動画像情報及び音声情報に基づいて、動画像及び音声の出力を行うものである。また、ディスプレイ３は、ＤＶＤプレイヤ１からの指示に基づいて、リンク情報を表示すると共に、リモコン２を介して、リンク情報によってリンクされた動画像情報（又は画像情報）を表示するものである。
【００２９】
図２は、ＤＶＤプレイヤ１の構成の一例を示すブロック図である。ＤＶＤプレイヤ１は、マイクロプロセッサ１１、光ピックアップ１２、ＲＦ回路１３、外部インターフェイス１４、ＨＤＭＩインターフェイス１５、表示パネル１６、メモリ１７、赤外線信号受信部１８、及び、操作部１９を備えている。
【００３０】
マイクロプロセッサ１１は、ＤＶＤプレイヤ１全体の動作を制御するものであって、ここでは、リモコン２からの操作信号を図２に示す赤外線信号受信部１８を介して受信して、受信された操作信号に対応するコマンド情報を生成してディスプレイ３に対してＨＤＭＩケーブルを介して送信するものである。
【００３１】
光ピックアップ１２は、ＤＶＤ−ＲＡＭ１００に対してレーザビームを照射してデータの読み出しを行うものである。ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＨＤＭＩインターフェイス１５は、ＨＤＭＩ規格に従って、ＨＤＭＩケーブルを介してディスプレイ３との間で動画像情報、音声情報等の種々の情報送受信を行うものである。
【００３２】
表示パネル１６は、例えば、ＬＣＤ（Ｌｉｑｕｉｄ  Ｃｒｙｓｔａｌ  Ｄｉｓｐｌａｙ）等からなり、外部から視認可能に、再生されている動画像情報のタイトル情報、リンク情報、ガイダンス情報、メッセージ情報、設定情報等の種々の情報を表示するものである。
【００３３】
メモリ１７は、種々の情報を格納するものである。赤外線信号受信部１８は、リモコン２から送信された赤外線信号を受信するものである。操作部１９（操作手段の一部に相当する）は、種々の操作ボタンを備え、操作ボタンを介して外部からの操作入力を受け付けるものである。
【００３４】
図３は、ＤＶＤプレイヤ１の外観の一例を示す正面図である。（ａ）は、全体図であり、（ｂ）は、表示パネル１６に表示される表示画面４００の一例を示す画面図である。（ａ）に示すように、ＤＶＤプレイヤ１は、左側に、操作部１９が配設され、略中央部に、ＤＶＤ−ＲＡＭ１００が載置されるトレイ１０が配設され、右側に、表示パネル１６が配設されている。
【００３５】
（ｂ）に示すように、表示画面４００は、左側に、反復して再生する場合に表示されるＲＥＰＥＡＴ表示部４０１、及び、停止状態及び再生状態を表示する状態表示部４０２を備えている。また、表示画面４００は、ＲＥＰＥＡＴ表示部４０１及び状態表示部４０２の右側に、再生中の動画像のタイトル情報、グループ情報、チャプタ情報、及び、トラック情報がそれぞれ表示されるタイトル表示部４０３、グループ表示部４０４、チャプタ表示部４０５、及び、トラック表示部４０６を備えている。更に、表示画面４００は、トラック表示部４０６の右側に、リンク情報がある場合に表示されるリンク表示部４０７を備えている。リンク表示部４０７に、リンク情報が含まれている旨の情報である「Ｌ」が表示されるため、ユーザは、リンク情報が含まれているか否かを更に容易に判別することができる。
【００３６】
図４は、リモコン２の外観の一例を示す正面図である。リモコン２は、数字キー２１、矢印キー２２、エンターキー２３等のキーを備えている。数字キー２１は、「０」〜「９」の数字を入力する場合に押下されるキーである。矢印キー２２は、上下左右の方向を選択する４つのキーからなり、ディスプレイ３に表示されたボタン等の選択状態を変更する場合に押下されるキーである。エンターキー２３は、ディスプレイ３に表示されたボタン等の選択状態を確定する場合に押下されるキーである。
【００３７】
図５は、本発明に係る主要部の機能構成の一例を示すブロック図である。図２に示すマイクロプロセッサ１１は、機能的に、リンク表示禁止部１１１、リンク判定部１１２、有効キー判定部１１３、表示制御部１１４、リンク表示部１１５、及び、リンク画像表示部１１６を備えている。
【００３８】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、リンク表示禁止部１１１、リンク判定部１１２、有効キー判定部１１３、表示制御部１１４、リンク表示部１１５、及び、リンク画像表示部１１６等の機能部として機能するものである。
【００３９】
また、図２に示すメモリ１７又は図略のＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ、半導体メモリ等である。
【００４０】
リンク表示禁止部１１１（リンク表示禁止手段に相当する）は、リモコン２からの操作情報に基づいて、リンク情報が含まれている旨の情報の表示を禁止するものである。具体的には、リンク表示禁止部１１１は、リモコン２からの操作情報に基づいて、リンク情報が含まれている旨の情報の表示を禁止するか否かを設定する設定画面をディスプレイ３に表示し、リモコン２からの操作情報に基づいて、リンク情報が含まれている旨の情報の表示を禁止するか否かを設定するものである。
【００４１】
リンク判定部１１２（リンク判定手段に相当する）は、ＤＶＤ−ＲＡＭ１００から読み出された動画像情報に、他の画像情報又は他の動画像情報にリンクされていることを示すリンク情報が含まれているか否かを判定するものである。
【００４２】
有効キー判定部１１３（有効キー判定手段に相当する）は、リモコン２に配設された複数のキーの内、ＤＶＤ−ＲＡＭ１００から読み出された動画像情報に含まれる受け付け可能なキーである有効キーを判定するものである。ここでは、ＤＶＤ−ＲＡＭ１００から読み出された動画像情報に含まれる受け付け可能なキーである有効キーが、図４に示す数字キー２１、矢印キー２２、又はエンターキー２３である場合について説明する。すなわち、数字キー２１、矢印キー２２、又はエンターキー２３が押下された場合に、リンク情報によってリンクされた動画像情報（又は画像情報）をディスプレイ３に表示するものである。
【００４３】
表示制御部１１４（表示制御手段に相当する）は、リンク表示禁止部１１１によって、ＤＶＤ−ＲＡＭ１００から読み出された動画像情報にリンク情報が含まれている旨の情報の表示が禁止されていない場合に限って、リンク表示部１１５を介して、表示パネル１６にリンク情報が含まれている旨の情報を表示させる（図３（ｂ）参照）と共に、ディスプレイ３に、ＯＳＤ（Ｏｎ  Ｓｃｒｅｅｎ  Ｄｉｓｐｌａｙ）として、リンク情報が含まれている旨の情報、及び、有効キー判定部１１３によって判定された有効キー情報を、リモコン２における有効キーの位置を外部から視認可能に表示させるものである（図７参照）。
【００４４】
リンク表示部１１５（リンク表示手段に相当する）は、表示制御部１１４からの指示に基づいて、リンク情報が含まれている旨の情報を、ディスプレイ３及び表示パネル１６に、外部から視認可能に表示するものである。具体的には、リンク表示部１１５は、図３（ｂ）に示す表示パネル１６リンク表示部４０７を点灯（又は点滅）させることにより、リンク情報が含まれている旨の情報を表示するものである。また、リンク表示部１１５は、ディスプレイ３に、ＯＳＤとして、リンク情報が含まれている旨の情報、及び、有効キー判定部１１３によって判定された有効キー情報を、リモコン２における有効キーの位置を外部から視認可能に表示するものである（図７参照）。
【００４５】
リンク画像表示部１１６は、リモコン２を介して操作入力を受け付けて、受け付けられた操作入力に基づいて、ＤＶＤ−ＲＡＭ１００から読み出された動画像情報にリンクされている他の画像情報（又は他の動画像情報）を再生するものである。具体的には、リンク画像表示部１１６は、リモコン２の有効キーが押下された場合に、ＤＶＤ−ＲＡＭ１００から読み出された動画像情報にリンクされている他の画像情報（又は他の動画像情報）を再生するものである。
【００４６】
図６は、ＤＶＤプレイヤ１（マイクロプロセッサ１１）の動作の一例を示すフローチャートである。ここでは、リンク表示禁止部１１１によって、予めリンク情報が含まれている旨の情報の表示を禁止するか否かの設定が行われているものとする。まず、表示制御部１１４によって、リンク情報が含まれている旨の情報の表示を禁止すると設定されているか否かの判定が行われる（Ｓ１０１）。
【００４７】
リンク情報が含まれている旨の情報の表示を禁止すると設定されていると判定された場合（Ｓ１０１でＹＥＳ）には、処理が終了される。リンク情報が含まれている旨の情報の表示を禁止するとは設定されていないと判定された場合（Ｓ１０１でＮＯ）には、リンク判定部１１２によって、ＤＶＤ−ＲＡＭ１００から読み出された動画像情報に、リンク情報が含まれているか否かの判定が行われる（Ｓ１０３）。リンク情報が含まれていないと判定された場合（Ｓ１０３でＮＯ）には、処理が待機状態とされる。リンク情報が含まれていると判定された場合（Ｓ１０３でＹＥＳ）には、有効キー判定部１１３によって、エンターキー２３が有効キーであるか否かの判定が行われる（Ｓ１０５）。
【００４８】
エンターキー２３が有効キーであると判定された場合（Ｓ１０５でＹＥＳ）には、表示制御部１１４によって、リンク表示部１１５を介してエンターキー２３が有効キーである旨のＯＳＤ（図７（ａ）参照）がディスプレイ３に表示され（Ｓ１０７）、更に、リンク情報が含まれている旨の情報が、ディスプレイ３及び表示パネル１６に表示され（Ｓ１１７）、処理が終了される。エンターキー２３が有効キーではないと判定された場合（Ｓ１０５でＮＯ）には、有効キー判定部１１３によって、数字キー２１が有効キーであるか否かの判定が行われる（Ｓ１０９）。数字キー２１が有効キーであると判定された場合（Ｓ１０９でＹＥＳ）には、表示制御部１１４によって、リンク表示部１１５を介して数字キー２１が有効キーである旨のＯＳＤ（図７（ｂ）参照）がディスプレイ３に表示され（Ｓ１１１）、更に、リンク情報が含まれている旨の情報が、ディスプレイ３及び表示パネル１６に表示され（Ｓ１１７）、処理が終了される。
【００４９】
数字キー２１が有効キーではないと判定された場合（Ｓ１０９でＮＯ）には、有効キー判定部１１３によって、矢印キー２２が有効キーであるか否かの判定が行われる（Ｓ１１３）。矢印キー２２が有効キーであると判定された場合（Ｓ１１３でＹＥＳ）には、表示制御部１１４によって、リンク表示部１１５を介して矢印キー２２が有効キーである旨のＯＳＤ（図７（ｃ）参照）がディスプレイ３に表示され（Ｓ１１５）、更に、リンク情報が含まれている旨の情報が、ディスプレイ３及び表示パネル１６に表示され（Ｓ１１７）、処理が終了される。矢印キー２２が有効キーではないと判定された場合（Ｓ１１３でＮＯ）には、表示制御部１１４によって、リンク情報が含まれている旨の情報が、ディスプレイ３及び表示パネル１６に表示され（Ｓ１１７）、処理が終了される。
【００５０】
図７は、図６に示すフローチャートのステップＳ１０７、１１１、１１５、１１７でディスプレイ３に表示されるＯＳＤの一例を示す画面図である。（ａ）は、エンターキー２３が有効キーである場合に表示される画面図５００であり、（ｂ）は、数字キー２１が有効キーである場合に表示される画面図５１０であり、（ｃ）は、矢印キー２２が有効キーである場合に表示される画面図５１０である。画面図５００、画面図５１０、及び、画面図５２０には、画面左上部に、リンク情報が含まれている旨を示す「ＬＩＮＫ」の文字を含むリンク有無表示部５０１、５１１、５２１がそれぞれ表示され、リンク有無表示部５０１、５１１、５２１の下側に、リモコン２における有効キーの位置を示す有効キー表示部５０２、５１２、５２２がそれぞれ表示されている。
【００５１】
有効キー表示部５０２、５１２、５２２には、それぞれの有効キーである、エンターキー２３、矢印キー２２、又は数字キー２１のリモコン２における位置を示す有効キーマーク５０２ａ、５１２ａ、５２２ａが表示されている。このように、有効キーのリモコン２における位置を示す有効キーマーク５０２ａ、５１２ａ、５２２ａが表示されているため、ユーザは、リモコン２における有効キーの位置を、明確に且つ容易に知ることができるのである。
【００５２】
このようにして、ＤＶＤ−ＲＡＭ１００から読み出された動画像情報に、他の画像情報又は他の動画像情報にリンクされていることを示すリンク情報が含まれていると判定された場合に、リンク情報が含まれている旨の情報が外部から視認可能に表示されるため、ユーザは、リンク情報が含まれているか否かを容易に判別することができるので、リンクされた情報を利便性良好に出力することができる。
【００５３】
また、再生されている動画像情報のタイトル情報を表示する表示パネル１６にリンク情報が含まれている旨の情報を表示されるため、ユーザは、リンク情報が含まれているか否かを更に容易に判別することができる。更に、リンク情報が含まれている旨の情報がディスプレイ３にＯＳＤとして表示される場合には、ディスプレイ３に表示されている再生画像の一部が隠れる等により、動画像の鑑賞を妨害する要因となることがあるが、表示パネルに表示されるため、動画像の鑑賞を妨害されることがない。
【００５４】
更に、ディスプレイ３にＯＳＤとして、リンク情報が含まれている旨の情報が表示されるため、ユーザは、リンク情報が含まれているか否かを更に容易に判別することができる。
【００５５】
加えて、外部からの操作情報に基づいてリンク情報が含まれている旨の情報の表示が禁止されている場合には、リンク情報が含まれている旨の情報が表示されないため、ユーザは、リンク情報が含まれている旨の情報を表示するか否かの選択を行うことができるので、利便性を向上することができる。
【００５６】
また、ディスプレイ３にＯＳＤとして、リモコン２に配設された複数のキーの内、記録媒体から読み出された動画像情報に含まれる受け付け可能なキーである有効キー情報が表示されるため、ユーザはリモコン２の有効キーを操作することによってリンクされた情報を容易に出力することができる。
【００５７】
更に、ディスプレイ３にＯＳＤとして、リモコン２に配設された複数のキーの内、ＤＶＤ−ＲＡＭ１００から読み出された動画像情報に含まれる受け付け可能なキーである有効キーのリモコン２における位置が外部から視認可能に表示されるため、ユーザは有効キーのリモコン２における位置を容易に視認することができるので、ユーザはリモコン２の有効キーを操作することによってリンクされた情報を更に容易に出力することができる。
【００５８】
なお、本発明は、以下の形態にも適用可能である。
（Ａ）本実施形態では、動画像再生装置がＤＶＤプレイヤ１である場合について説明したが、動画像及び音声を出力可能に構成されたディスプレイ３等の表示装置と通信可能に接続され、ＤＶＤ−ＲＡＭ１００等の記録媒体に格納された情報を読み出して再生可能に構成された装置であればよい。例えば、動画像再生装置が、ビデオテーププレイヤ、パーソナルコンピュータ等である形態でもよい。
【００５９】
（Ｂ）本実施形態では、表示装置がディスプレイ３である場合について説明したが、動画像及び音声を出力可能に構成され、ＤＶＤプレイヤ１等の動画像再生装置と通信可能に接続される装置であればよい。例えば、表示装置がテレビ放送を受信可能に構成されたテレビ受信機等である形態でもよい。
【００６０】
（Ｃ）本実施形態では、ＤＶＤプレイヤ１とディスプレイ３とがＨＤＭＩを介して通信可能に接続される場合について説明したが、その他のインターフェイス（例えば、ＤＶＩ等）で通信可能に接続される形態でもよい。
【００６１】
（Ｄ）本実施形態では、リンク表示禁止部１１１、及び、リンク画像表示部１１６が、リモコン２を介してユーザからの操作入力を受け付ける場合について説明したが、リンク表示禁止部１１１、及び、リンク画像表示部１１６の、少なくとも一方が、ＤＶＤプレイヤ１の操作部１９を介してユーザからの操作入力を受け付ける形態でもよい。
【００６２】
（Ｅ）本実施形態では、表示制御部１１４が、リンク情報がある場合にリンク表示部４０７（図３参照）を表示パネル１６に表示する場合について説明したが、その他の方法で、表示制御部１１４が、表示パネル１６にリンク情報が含まれている旨の情報を表示する形態でもよい。例えば、表示制御部１１４が、リンク情報がある場合に、図３に示すタイトル表示部４０３、グループ表示部４０４、チャプタ表示部４０５、及び、トラック表示部４０６の少なくとも１の表示部を点滅させる形態でもよい。
【００６３】
（Ｆ）本実施形態では、表示制御部１１４が、ディスプレイ３及び表示パネル１６にリンク情報が含まれている旨の情報を表示する場合について説明したが、ディスプレイ３及び表示パネル１６の少なくとも一方にリンク情報が含まれている旨の情報を表示する形態でもよい。
【００６４】
（Ｇ）本実施形態では、有効キーが数字キー２１、矢印キー２２、及びエンターキー２３のいずれかである場合について説明したが、有効キーが数字キー２１、矢印キー２２、及びエンターキー２３の内、２種以上のキーである（例えば、数字キー２１とエンターキー２３とである）形態でもよいし、有効キーが数字キー２１、矢印キー２２、及びエンターキー２３以外のキーである形態でもよい。
【図面の簡単な説明】
【００６５】
【図１】は、本発明に係るＤＶＤプレイヤの接続状態の一例を示す構成図である。
【図２】は、ＤＶＤプレイヤの構成の一例を示すブロック図である。
【図３】は、ＤＶＤプレイヤの外観の一例を示す正面図である。
【図４】は、リモコン２の外観の一例を示す正面図である。
【図５】は、本発明に係る主要部の機能構成の一例を示すブロック図である。
【図６】は、ＤＶＤプレイヤ（マイクロプロセッサ）の動作の一例を示すフローチャートである。
【図７】は、図６に示すフローチャートのステップＳ１０７、１１１、１１５、１１７でディスプレイに表示されるＯＳＤの一例を示す画面図である。
【符号の説明】
【００６６】
１    ＤＶＤプレイヤ（動画像再生装置）
１００    ＤＶＤ−ＲＡＭ（記録媒体）
１１    マイクロプロセッサ
１１１    リンク表示禁止部（リンク表示禁止手段）
１１２    リンク判定部（リンク判定手段）
１１３    有効キー判定部（有効キー判定手段）
１１４    表示制御部（表示制御手段）
１１５    リンク表示部（リンク表示手段）
１１６    リンク画像表示部
１６    表示パネル
１９    操作部（操作手段の一部）
２    リモートコントローラ（操作手段の一部）
３    ディスプレイ（表示装置）
【図１】
2008053984.tif 000003
【図２】
2008053984.tif 000004
【図３】
2008053984.tif 000005
【図４】
2008053984.tif 000006
【図５】
2008053984.tif 000007
【図６】
2008053984.tif 000008
【図７】
2008053984.tif 000009